(57)【要約】  【課題】    無散水融雪方式の熱エネルギーとして、省エネかつ確実な融雪用地下水槽と、その埋設方法を提供する。  【解決手段】融雪用地下水槽に仕切板と冷水ゲートを設けた水槽と、積雪下においてその水槽を埋設した地表面下に空気層を形成し、その上の地表面にビニールシートを敷いた。  【選択図】  図２
2009046919.tif 000002
【特許請求の範囲】
【請求項１】
融雪用地下水槽において、図2に示す仕切板を適数箇所配設し、図1に示す仕切板の端面に交互に冷水ゲートを設けた水槽に、冷水吐き出し管と地熱による加温水の吸い込み管で構成することを特徴とする融雪用地下水槽。
【請求項２】
冬期の積雪状態において、請求項1の水槽を埋設した地表面下に玉砂利などで空気が混在する隙間を作った地表面空気層を設け、その上の地表面にビニールシートを敷いたことを特徴とする融雪用地下水槽の埋設方式。
【発明の詳細な説明】
【技術分野】
【０００１】
本発明は、地表面下に配設したパイプに地熱による加温水で雪を融かすための融雪用地下水槽の仕組みと、その水槽の埋設方式に関するものである。
【背景技術】
【０００２】
道路や駐車場などの雪を融かす方法として地下水の散水方式もあるが、近年は散水せず地表面下にパイプを配設した無散水方式が主流である。雪を融かす熱エネルギーとしては地下水を流したり、温水熱源として電気・ガス・灯油などの熱源機器で加温して循環させる方法がある。又、地熱を利用したコンクリート管方式や浄化槽による融雪装置として下記が公知されている。
【特許文献１】特開平１１−３５０４４５号公報
【特許文献２】特開平２０００−２４００２９号公報
【特許文献３】特開平２００６−２５３９号公報
【発明の開示】
【発明が解決しようとする課題】
【０００３】
しかしながら無散水方式としての熱源は、電気・ガス・灯油等を用いるが何れもエネルギー消費が大きいし、地下水方式といえども、どこにでも地下水があるとは限らず不確実である。昨今の地球温暖化の実態を考えるとき、雪国では欠かせない融雪は、環境保全、省エネルギーを考慮すると共に、安価な維持費と確実な方式が求められている。
【課題を解決するための手段】
【０００４】
本発明のその１は、融雪用地下水槽において、図2に示す仕切板2−1・2−2・2−3を適数箇所配設し、図１に示す仕切板端面に交互に冷水ゲート６を設けた水槽に、冷水吐き出し管３と地熱による加温水の吸い込み管４で構成することを特徴とする融雪用地下水槽である。
【０００５】
本発明のその２は、冬期の積雪状態において、上述の水槽を埋設した地表面下に玉砂利などで空気が混在する隙間を作った地表面空気層９を設け、その上の地表面にビニールシート８を敷いた埋設方式である。
【発明の効果】
【０００６】
上述の水槽とその埋設方法により、地下水や電気・ガス・灯油を使わず、地熱や雪の自然エネルギーを活用した環境保全、省エネルギーに寄与する融雪方式であると共に、安価な維持費と確実な無散水融雪ができるようになる。
【発明を実施するための最良の形態】
【０００７】
本発明の実施形態を図１・図２で詳細説明する。本水槽１の水は、フート弁１６より地熱による加温水の吸い込み管４と図示しないが地上ポンプにより地表下面の融雪パイプを通って放熱し冷却される。その後、冷水吐き出し管３より水槽に循環するとき、帰り冷水と加温水が混合せず、帰り冷水が地熱により再加温されて、再び４より吸い上げることができる。
【０００８】
これを図１により詳述すると、３から吐き出された冷水は水槽下面の仕切板と冷水ゲート６を設けることで、水槽下面の冷水順路５に示す通り移動し、水温差により上昇せず、水槽下面に貯留しながら時間をかけて地熱によって昇温する。又、地熱による加温水の吸い込み管４近傍の仕切板には冷水ゲートを設けないので、４は３の冷水を吸い上げることはない。
【０００９】
次に図２により詳述すると、上述の通り冷水は仕切板と冷水ゲート６により、それぞれゲートを通過し水槽底面に貯留すると共に、仕切板上面まで冷水が貯留すると、冷水上面１２・１３・１４をそれぞれ冷水温度Ｔ１・Ｔ２，Ｔ３として仕切板上面を超えて移動する。このとき冷水温度であっても時間と共に地熱により昇温するので、帰り冷水温度Ｔから地熱による加温水温度Ｔ５に至るそれぞれの冷水温度は、低い順にＴ・Ｔ１・Ｔ２・Ｔ３・Ｔ４・Ｔ５となる。
【００１０】
このような作用により帰り冷水温度Ｔは、地熱による加温水温度Ｔ５と混合せず、順次昇温され、地熱による加温水温度Ｔ５として再び吸い込み管４に吸い上げられる水槽構造である。
【００１１】
次に水槽の埋設方式について詳述する。雪で被われた地表面は氷点下であってもほぼ０℃に近い温度であることは一般に知られている。（雪に学び雪を楽しむ−国交省都市地域整備局発行）その積雪状態において、図２に示すように地表面下に玉砂利などで空気が混在する隙間を作った地表面空気層９を設け、その上の地表面にビニールシート８を敷く構成とする。地表面空気層９内の下部空気は地熱により加温されて上昇し、ビニールシート下の空気は雪温で冷やされるので、９内においては上下の空気対流が行われる。ビニールシートの雪に接する上面空気は０℃前後であっても、その空気を遮断するビニールシート下部の９は、地熱の対流空気により０℃以上の温度となる。
【００１２】
このような埋設方式の作用によって、地熱による加温水温度Ｔ５は、地表から冷却されにくい水温を保つことができる。
【００１３】
又、雪とビニールシートと地表面空気層により、断熱材を使わずに地表面の凍結帯を昇温させる埋設方式と前述のその水槽において、融雪する熱量は、時間当りの循環水量と、Ｔ５とＴの水温差で算出できるし、その状態におけるＴからＴ５に昇温する時間により水槽の大きさ、貯水量も決めることができる。
【００１４】
図１、図２はコンクリート水槽を図示したが、市販の樹脂製の水槽で前述の構成をしてもよい。又、水槽の貯留水は下面は冷たく、上面は加温水であることから、図２に示すように冷水吐き出し管３は水槽の下方に、地熱による加温水の吸い込み管４は水槽水上面１１近傍に配設すると共に、冷水上面は１２・１３・１４と加温水の吸い込み管４に向かって順次低く設定する。さらに、水槽水は不凍液であれば凍結防止にもなり、雪の降らない時は循環ポンプの停止もできるので更なる省エネとなる。
【図面の簡単な説明】
【００１５】
【図１】平面における水槽下面の冷水流れ図
【図２】本水槽の地下埋設立面図と冷水の順路図
【符号の説明】
【００１６】
1       水槽                            T 3    冷水温度
2−1    仕切板                          T 4    冷水温度
2−2    仕切板                          T 5    地熱による加温水温度
2−3    仕切板
3       冷水吐き出し管  
4       地熱による加温水の吸い込み管
5       水槽下面の冷水順路
6       冷水ゲート
7       地表面
8       ビニールシート
9       地表面空気層  
10      水槽底面
11      水槽水上面
12      冷水上面
13      冷水上面
14      冷水上面
15      冷水上面
16      フート弁
17      地熱加温層上面
18      雪層 
T       帰り冷水温度
T 1     冷水温度
T 2     冷水温度
【図１】
2009046919.tif 000003
【図２】
2009046919.tif 000004